(57)【特許請求の範囲】
【請求項１】
上面が開口する冷蔵ショーケース本体の開口外周の側縁部に縁部モールを取り付け、この縁部モールにフェンスを立設させた冷蔵ショーケースにおいて、
前記縁部モールのフェンス立設部に、前記フェンスの下部挿入部分のショーケース内側を向いた面を接触保持する第１の保持部と、前記フェンスの下部挿入部分のショーケース外側を向いた面を接触保持する第２の保持部と、前記フェンスの下面を保持する下面保持部とを設け、前記第１及び第２の保持部のいずれか一方を、その上端と下端とが前記フェンスの下部挿入部分に接触しこれを保持する形状としたことを特徴とする冷蔵ショーケース。
【請求項２】
第１及び第２の保持部のうち、フェンスの下部挿入部分の上端と下端とを接触保持する保持部の上端の高さより、他方の保持部の上端の高さを低く設定した請求項１記載の冷蔵ショーケース。
【請求項３】
フェンスの下部挿入部分の上端と下端とを接触保持する第１及び第２の保持部のうち、いずれか一方の保持部の上下端間を、上側を両保持部間の距離を増加させる方向に傾斜した傾斜面、下側を前記上側の傾斜面に続き前記距離を減少させる方向に傾斜した傾斜面とした請求項１または２記載の冷蔵ショーケース。
【請求項４】
上側の傾斜面を、他方の保持部側に若干突出した円弧状に形成した請求項３記載の冷蔵ショーケース。
【請求項５】
下面保持部のショーケース外側方向と内側方向の隅部を上方に突出した段部とし、これら段部によりフェンスを支えるようにした請求項１〜４のいずれかに記載の冷蔵ショーケース。
【発明の詳細な説明】
【０００１】
【発明の属する技術分野】
本発明は、冷蔵ショーケース、特にその縁部モールによるフェンス立設構造に関する。
【０００２】
【従来の技術】
従来、図１に示すように上部の外周をガラス板のような透明なフェンス(６)により囲った冷蔵ショーケース（Ａ）では、ショーケース本体(４)の外周の側縁部に縁部モール(５)を設け、縁部モール(５)にフェンス(６)を立設している。
この場合、図５に示すように、縁部モール(５)の上面に形成した溝部(１)は、ここに挿入するフェンス(６)の厚さよりも広い溝幅のものとして溝部(１)の側面とフェンス表面とが接触しないようにし、その隙間に乾燥固化性の隙間埋め材(２)を充填してフェンス(６)を固定していた。
【０００３】
【発明が解決しようとする課題】
上述の従来のやり方では、隙間埋め作業の工数がかかり、さらに、隙間埋め材が乾いて固まるまでに１日はかかるという問題点があった。
【０００４】
本発明は、このような問題点を解決するため、隙間埋め処理が不要で、長尺のフェンスでもスムーズに取り付けが可能で、かつ、フェンスとモールの隙間を最少にできる構造を提供することを目的とする。
【０００５】
【課題を解決するための手段】
本発明によると、上記課題は、次のようにして解決される。
(１)  上面が開口する冷蔵ショーケース本体の開口外周の側縁部に縁部モールを取り付け、この縁部モールにフェンスを立設させた冷蔵ショーケースにおいて、前記縁部モールのフェンス立設部に、前記フェンスの下部挿入部分のショーケース内側を向いた面を接触保持する第１の保持部と、前記フェンスの下部挿入部分のショーケース外側を向いた面を接触保持する第２の保持部と、前記フェンスの下面を保持する下面保持部とを設け、前記第１及び第２の保持部のいずれか一方を、その上端と下端とが前記株挿入部分に接触しこれを保持する形状としたこと。
【０００６】
(２)  上記(１)項において、フェンスの下部挿入部分の上端と下端とを接触保持する保持部の上端の高さより、他方の保持部の上端の高さを低く設定する。
【０００７】
(３)  上記(１)または(２)項において、フェンスの下部挿入部分の上端と下端とを接触保持する第１及び第２の保持部のうち、いずれか一方の保持部の上下端間を、上側を両保持部間の距離を増加させる方向に傾斜した傾斜面、下側を前記上側の傾斜面に続き前記距離を減少させる方向に傾斜した傾斜面とする。
【０００８】
(４)  上記(３)項において、上側の傾斜面を、他方の保持部側に若干突出した円弧状に形成する。
【０００９】
(５)  上記(１)〜(４)項のいずれかにおいて、下面保持部のショーケース外側方向と内側方向の隅部を上方に突出した段部とし、これら段部によりフェンスを支えるようにする。
【００１０】
【発明の実施の形態】
図１に示す冷蔵ショーケース（Ａ）は、ショーケース本体(４)を備え、その上部は、上方に開口している。この多角形状の上部の開口外周の側縁部には、縁部モール(５)が設けられ、その上にガラス板等からなる透明なフェンス(６)が立設されている。
隣り合う縁部モール(５)と縁部モール(５)との間の角部には、フェンス(６)の端部を覆うフェンスコーナモール(７)が設けられ、フェンスコーナモール(７)の下部と、互いに直角をなす両縁部モール(５)の間の空間とを、縁部コーナモール(８)により覆っている。
【００１１】
図２に縦断面を拡大して示すように、押し出し成形した合成樹脂材料製の縁部モール(５)は、丸味を帯びた上部部分(5a)と、後部に形成されたフェンス保持溝部分(5b)と、ショーケース本体(４)に取り付ける取付部分(5c)とを備えている。
なお、符号(３)は、頂部カバーを示す。
【００１２】
図３にフェンス立設部を拡大して示すように、フェンス保持溝部分(5b)は、フェンス(６)の下部挿入部分のショーケース内側を向いた面を接触保持する第１の保持部(９)と、フェンス(６)の下部挿入部分のショーケース外側を向いた面の上端と下端とを接触支持する第２の保持部(10)と、フェンス(６)の下面を保持する下面保持部(11)とを備えている。
【００１３】
第１の保持部(９)の壁面は垂直の平面であるが、第２の保持部(10)は、その上側をショーケース内側に向かう傾斜面(10a)、下側を内側に向かう傾斜面(10b)により構成されている。
【００１４】
保持部(10)の上端(10c)は、第１の保持部(９)の上端(9a)よりも高さ（ｈ）だけ高く設定されており、しかも先端を鋭角に尖らせて形成してあり、第２の保持部(10)の上端(10c)と第１の保持部(９)の上端(9a)との間の間隔が、殆どフェンス(６)の厚さと等しく設定されている。
【００１５】
下部保持部(11)は、両保持部(９)(10)の隅部を上方に突出する段部(11a)(11b)とされており、これら段部の上にフェンス(６)の下端を支えるようにされている。  これら段部の間には、凹溝(12)が形成されている。
【００１６】
フェンス(６)の挿入に当たっては、図３の（ａ）に示すように、一旦フェンス(６)の下端を低い方の第１の保持部(９)の上端(9a)に載せ、これを反対側の第２の保持部(10)の方にずらせてゆき、傾斜面(10a)の傾斜に合わせてフェンス(６)を傾斜させて、実線に示すように斜めに落とし込む。
【００１７】
図３の（ａ）に実線により示す位置まで挿入されたフェンス(６)の下端は、その後傾斜面(10b)に案内され、（ｂ）に示すように、下面保持部(11)の段部(11ａ)(11ｂ)上に落ち着く。
このように落ち着いた状態では、フェンス(６)のショーケース内側を向いた面は、第１の保持部(９)に面接触し、ショーケース外側を向いた面は、第２の保持部(10)の下端と上端(10c)に接触している。
【００１８】
なお、垂直の第１の保持部(９)と上下端で接触する第２の保持部(10)との関係は、ショーケース内外側逆の関係とすることもできる。
【００１９】
図４に示す変形例では、第１の保持部(10)の傾斜部(10a)(10b)が内側に凸の円弧状とされている。
【００２０】
【発明の効果】
本発明によれば、フェンスの保持に隙間埋め材が不要となり、かつ、フェンスと縁部モールの隙間を最少にすることができる。
【００２１】
請求項２記載の発明のように、フェンスの下部挿入部分の上端と下端とを接触保持する第１の保持部の上端の高さより、他方の第２の保持部の上端の高さを低く設定すると、フェンスの差し込み口の開口部面積が広がり、フェンスを内面保持部側に斜めに倒して差し込むと開口部の隙間が大きくなるため、差し込みやすい。
【００２２】
請求項３記載の発明のように、フェンスの下部挿入部分の上端と下端とを接触保持する第１の保持部の上下端間を、上側を両保持部間の距離を増加させる方向に傾斜した傾斜面、下側を前記上側の傾斜面に続き前記距離を減少させる方向に傾斜した傾斜面とすると、差し込んだフェンスを押し込みきるとフェンスが直立し、両保持部によりしっかりと固定される。
【００２３】
請求項４記載の発明のように、上側の傾斜面を、他方の保持部側に若干突出した円弧状に形成すると、傾斜面によるフェンスの下端の案内、方向転換が助成され、しかもこの保持部の弾発性を増加させ、保持部の上端のフェンスへの押しつけ係合を助成することができる。
【００２４】
請求項５記載の発明のように、下面保持部のショーケース外側方向と内側方向の隅部を上方に突出した段部とし、これら段部によりフェンスを支えるようにすると、成型時に発生する下面保持部の歪みを凹溝内に逃し、また凹溝の存在により断熱効果を奏することができ、さらには、凹溝内に電熱線を配置することによりガラス製のフェンスを暖めて曇り止めを果たすことができる。
【図面の簡単な説明】
【図１】本発明を実施する冷凍ショーケースの斜視図である。
【図２】本発明の１実施例である縁部モールド、フェンス付近の拡大断面図である。
【図３】図２に示すフェンス立設部の拡大断面図で、（ａ）は、フェンス挿入途中の状態を示す図、（ｂ）は、フェンスを挿入し終わった状態を示す図である。
【図４】本発明の変形例を示す図３と同様なフェンス立設部の拡大断面図である。
【図５】従来例の断面図である。
【符号の説明】
（Ａ）冷蔵ショーケース
(１)溝部
(２)隙間埋め材
(３)頂部カバー
(４)ショーケース本体
(５)縁部モール
(5a)上部部分
(5b)フェンス保持溝部分
(5c)取付部分
(６)フェンス
(７)フェンスコーナモール
(８)縁部コーナモール
(９)第１の保持部
(9a)上端
(10)第２の保持部
(10a)(10b)傾斜面
(10c)上端
(11)下面保持部
(11a)(11b)段部
(12)凹溝
【図１】
0004105789.tif 000002
【図２】
0004105789.tif 000003
【図３】
0004105789.tif 000004
【図４】
0004105789.tif 000005
【図５】
0004105789.tif 000006